(57)【特許請求の範囲】
【請求項１】
建物の天井に設置され且つ建物に配索された電力線に対して電気的に接続された配線ダクトに装着されて使用されるダクト装着型ＰＬＣプラグであって、
電池が装着される電池装着部と、
他のダクト装着型ＰＬＣプラグとの間で有線又は無線により情報通信を行う通信手段と、
前記電池装着部に装着された電池から電力が供給されている状態で、前記通信手段により他のダクト装着型ＰＬＣプラグとの間で情報通信を行って親子設定を行う親子設定処理手段と、を備えることを特徴とするダクト装着型ＰＬＣプラグ。
【請求項２】
前記親子設定処理手段によって前記ダクト装着型ＰＬＣプラグが親機に設定されたか或いは子機に設定されたかを判別可能に表示するための表示部をさらに備えることを特徴とする請求項１記載のダクト装着型ＰＬＣプラグ。
【請求項３】
建物の天井に設置され且つ建物に配索された電力線に対して電気的に接続された配線ダクトに装着されて使用される複数のダクト装着型ＰＬＣプラグ間で親子設定を行う方法であって、
前記複数のダクト装着型ＰＬＣプラグ同士が、それぞれに装着された電池から電力が供給されている状態で、有線又は無線により情報通信を行って親子設定を行うこと、
を特徴とするダクト装着型ＰＬＣプラグの親子設定方法。
【発明の詳細な説明】
【技術分野】
【０００１】
本発明は、建物に配索された電力線に接続される導体を収容して建物の天井などに設置された配線ダクトに装着されて使用されるダクト装着型ＰＬＣプラグ及びその親子設定方法に関する。
【背景技術】
【０００２】
住戸やオフィスビルを始めとして、様々な場所に電力供給のために電力線が布設されている。近年、この電力線を伝送路に用いた電力線搬送通信（Ｐｏｗｅｒ  Ｌｉｎｅ  Ｃｏｍｍｕｎｉｃａｔｉｏｎ；ＰＬＣ）が確立されつつある。このＰＬＣは、既設の電力線を用いて機器同士の通信が実現されるため、専用の通信線を新たに導入及び施工することなく機器同士のネットワーク化が可能である。
【０００３】
一方、特許文献１には、建物の天井などに配設され、この建物に配索された電力線に対して接続するための導体を収容した配線ダクトに、電灯等の照明機器や、ネットワーク機器の電源ケーブルを接続するための電力プラグを装着して使用する配線ダクトシステムが開示されている。
【０００４】
近年では、この配線ダクトシステムに用いるプラグとして、配線ダクト内の導体を介して電力供給のみならず、ネットワーク機器間の電力線搬送通信（ＰＬＣ通信）も行えるようにしたもの（ダクト装着型ＰＬＣプラグ）を利用する試みがなされている。このダクト装着型ＰＬＣプラグには、ネットワーク機器の通信ケーブルが接続される通信ケーブル接続部が設けられており、配線ダクトに装着されたダクト装着型ＰＬＣプラグの通信ケーブル接続部にネットワーク機器の通信ケーブルを接続すると、このネットワーク機器は、配線ダクト内の導体を利用してＰＬＣ通信を行うことが可能となる。
【特許文献１】特開昭５３−０８４１９５
【発明の開示】
【発明が解決しようとする課題】
【０００５】
ところで、上述した配線ダクトシステムにおいて、互いに離れた位置に配置される複数のネットワーク機器間で配線ダクト内の導体を利用したＰＬＣ通信を行うには、各ネットワーク機器ごとにダクト装着型ＰＬＣプラグを用意して、これらを配線ダクトの適所に装着しておく必要がある。このように複数のダクト装着型ＰＬＣプラグを配線ダクトに装着して使用する場合、各ダクト装着型ＰＬＣプラグに各々接続される複数のネットワーク機器間で適切な通信を行うために、配線ダクトに装着される複数のダクト装着型ＰＬＣプラグのうちの何れかを親機に設定し、他のプラグを子機に設定して、親機に設定されたダクト装着型ＰＬＣプラグによってＰＬＣ通信が制御される構成とすることが望ましい。
【０００６】
この複数のダクト装着型ＰＬＣプラグ間の親子設定は、例えば、子機となるダクト装着型ＰＬＣプラグの固有の識別情報を、この子機となるダクト装着型ＰＬＣプラグから親機となるダクト装着型ＰＬＣプラグに対して送信し、親機となるダクト装着型ＰＬＣプラグがこの子機となるダクト装着型ＰＬＣプラグの識別情報を受信してテーブルに登録する、といった処理を行うことで実現される。したがって、複数のダクト装着型ＰＬＣプラグ間で親子設定を行うには、各ダクト装着型ＰＬＣプラグそれぞれに電力を供給した状態で、これらを通信可能に接続させておく必要がある。
【０００７】
ここで、ダクト装着型ＰＬＣプラグは、上述したように配線ダクトに装着されて使用されることを前提に構成されているため、配線ダクトに装着された状態でないと電力供給が行われず、また複数のダクト装着型ＰＬＣプラグ同士を通信可能に接続できないようになっていた。そのため、これまでは、既に建物の天井に設置されている配線ダクトの所定の位置に、実際に複数のダクト装着型ＰＬＣプラグをそれぞれ装着した状態で、各ダクト装着型ＰＬＣプラグを操作して親子設定のための作業を行うようにしているのが現状であり、このことが、親子設定作業の作業性悪化を招く要因となっていた。
【０００８】
そこで、本発明は、配線ダクトに装着されて使用されるダクト装着型ＰＬＣプラグの親子設定を簡素化できるダクト装着型ＰＬＣプラグ及びその親子設定方法の提供を目的とする。
【課題を解決するための手段】
【０００９】
請求項１記載の発明は、建物の天井に設置され且つ建物に配索された電力線に対して電気的に接続された配線ダクトに装着されて使用されるダクト装着型ＰＬＣプラグであって、電池が装着される電池装着部と、他のダクト装着型ＰＬＣプラグとの間で有線又は無線により情報通信を行う通信手段と、前記電池装着部に装着された電池から電力が供給されている状態で、前記通信手段により他のダクト装着型ＰＬＣプラグとの間で情報通信を行って親子設定を行う親子設定処理手段と、を備えることを特徴とする。
【００１０】
請求項２記載の発明は、請求項１記載のダクト装着型ＰＬＣプラグであって、前記親子設定処理手段によって前記ダクト装着型ＰＬＣプラグが親機に設定されたか或いは子機に設定されたかを判別可能に表示するための表示部をさらに備えることを特徴とする。
【００１１】
請求項３記載の発明は、建物の天井に設置され且つ建物に配索された電力線に対して電気的に接続された配線ダクトに装着されて使用される複数のダクト装着型ＰＬＣプラグ間で親子設定を行う方法であって、前記複数のダクト装着型ＰＬＣプラグ同士が、それぞれに装着された電池から電力が供給されている状態で、有線又は無線により情報通信を行って親子設定を行うこと、を特徴とする。
【発明の効果】
【００１２】
本発明によれば、複数のダクト装着型ＰＬＣプラグを建物の天井などに設置されている既設の配線ダクトに装着することなく、ダクト装着型ＰＬＣプラグの電池装着部に装着された電池から各ダクト装着型ＰＬＣプラグに電力が供給されている状態で、これらダクト装着型ＰＬＣプラグの通信手段によって親子設定を行うようにしているので、親子設定の作業を簡便なものとすることができる。
【発明を実施するための最良の形態】
【００１３】
以下、本発明を適用したダクト装着型ＰＬＣプラグおよびこれを用いた配線ダクトシステムについて、図面を参照して説明する。
【００１４】
図１は、配線ダクトシステムの全体構成を示す図である。この配線ダクトシステムは、建物の天井に設置された配線ダクト２０を利用して、建物に配索された電力線７０から照明機器２００やネットワーク機器１００Ａ、１００Ｂなどに電力を供給すると共に、ネットワーク機器１００Ａ、１００Ｂ間での電力線搬送通信（ＰＬＣ通信）を可能にするシステムである。
【００１５】
建物の天井に設置された配線ダクト２０は、例えば商用電力を送電する電力線に分電盤１０を介して接続されている。また、この配線ダクト２０には、電力プラグ５０やダクト装着型ＰＬＣプラグ６０Ａ、６０Ｂが装着される。そして、通信機能を持たない照明機器２００が電力プラグ５０に接続され、通信機能を持つカメラやパーソナルコンピュータなどのネットワーク機器１００Ａ、１００Ｂがダクト装着型ＰＬＣプラグ６０Ａ、６０Ｂにそれぞれ接続される。
【００１６】
配線ダクト２０は、図２に示すように、長尺状のレール形状に成形されたスライドレール２３を有しており、このスライドレール２３の内部に、長手方向に沿って導体２６が設けられている。スライドレール２３は、図２に示すように、その下端に長手方向に沿って開口する開口部２４が設けられており、この開口部２４を介して、電力プラグ５０やダクト装着型ＰＬＣプラグ６０Ａ、６０Ｂを着脱可能に装着できる構造となっている。また、スライドレール２３内部の相対向する一対の内壁には、内側に向かって突出する一対のホルダ７３１が長手方向に沿ってそれぞれ設けられており、これら一対のホルダ７３１に導体２６がそれぞれ配設されている。一対のホルダ７３１はその頂部が開口しており、この開口しているホルダ７３１の頂部から導体２６の一部が露出している。そして、スライドレール２３の開口部２４を介して装着された電力プラグ５０やダクト装着型ＰＬＣプラグ６０Ａ、６０Ｂは、その端子部がホルダ７３１の頂部において導体２６と接触することで、導体２６に対して電気的に接続される。
【００１７】
スライドレール２３の長手方向の一方の端部（分電盤１０側の端部）には、ＰＬＣフィードイン３０が接続されている。このＰＬＣフィードイン３０は、分電盤１０からスライドレール２３内部の導体２６に電力を供給すると共に、導体２６を流れる電力線搬送通信の信号（ＰＬＣ信号）が分電盤１０に漏洩することを防止するためのものであり、例えば図１（ｂ）に示すように、ノーマルモードコンデンサＣ１とコモンモードチョークコイルＬ１、Ｌ２とから構成されるブロッキングフィルタ３２を備えている。
【００１８】
また、スライドレール２３の長手方向の他方の端部（終端部）には、ＰＬＣエンド４０が設けられている。このＰＬＣエンド４０は、スライドレール２３内部の導体２６を流れるＰＬＣ信号の反射を防止するためのものであり、例えば図１（ｃ）に示すように、コンデンサＣｗと抵抗素子Ｒｗとで構成される。このＰＬＣエンド４０は、スライドレール２３内部の導体２６との間でインピーダンス特性が整合するように設計されている。
【００１９】
配線ダクト２０に装着される電力プラグ５０及びダクト装着型ＰＬＣプラグ６０Ａ、６０Ｂの端子部近傍の構造を図３に示す。なお、この端子部近傍の構造は、電力プラグ５０及びダクト装着型ＰＬＣプラグ６０Ａ、６０Ｂで共通である。
【００２０】
配線ダクト２０に装着される電力プラグ５０及びダクト装着型ＰＬＣプラグ６０Ａ、６０Ｂは、図３（ａ）に示すように、本体部５２から突出形成された円筒部５５を有しており、この円筒部５５の周面に端子部５４が形成されている。この端子部５４は本体部５２内の電線５７と接続されている。また、この円筒部５５の周面には、端子部５４よりも本体部５２に近い位置に、突出部５３が形成されている。
【００２１】
このような構造とされた電力プラグ５０及びダクト装着型ＰＬＣプラグ６０Ａ、６０Ｂは、配線ダクト２０のスライドレール２３に装着する際、スライドレール２３下端の開口部２４から円筒部５５がスライドレール２３内部に挿入される。そして、この状態で円筒部５５が回転操作されることで、図３（ｂ）に示すように端子部５４がスライドレール２３内部のホルダ７３１に配設された導体２６に接触する。また、このとき、突出部５３がスライドレール２３の一対の内壁間に嵌合されて、スライドレール２３に装着された状態が保持される。
【００２２】
電力プラグ５０及びダクト装着型ＰＬＣプラグ６０Ａ、６０Ｂは、以上のように配線ダクト２０のスライドレール２３に装着され、端子部５４がスライドレール２３内部の導体２６と接触することで、この導体２６と電気的に接続される。このとき、スライドレール２３内部の導体２６には、上述したように分電盤１０から電力が供給されているので、この電力が導体２６を介して電力プラグ５０及びダクト装着型ＰＬＣプラグ６０Ａ、６０Ｂに供給されることになる。また、電力プラグ５０に照明機器２００、ダクト装着型ＰＬＣプラグ６０Ａ、６０Ｂにネットワーク機器１００Ａ、１００Ｂがそれぞれ接続されることで、これら各機器に対して電力が供給されることになる。また、ネットワーク機器１００Ａ、１００Ｂは、通信ケーブルを介してダクト装着型ＰＬＣプラグ６０Ａ、６０Ｂにそれぞれ接続されることにより、スライドレール２３内の導体２６を介してＰＬＣ通信が可能となる。
【００２３】
次に、ネットワーク機器１００Ａ、１００Ｂ間でのＰＬＣ通信を実現するためのダクト装着型ＰＬＣプラグ６０Ａ、６０Ｂの内部構成について、図５を参照して説明する。
【００２４】
ダクト装着型ＰＬＣプラグ６０Ａ、６０Ｂは、ネットワーク機器１００Ａ、１００Ｂから通信ケーブルを介して送信される情報信号（例えばＬＡＮ信号）をＰＬＣ信号に変換してスライドレール２３の導体２６に送信すると共に、当該導体２６を流れるＰＬＣ信号を受信し、受信したＰＬＣ信号をＬＡＮ信号に変換してネットワーク機器１００Ａ、１００Ｂへと送信する機能を有しており、例えば図５に示すように、ネットワーク機器１００Ａ、１００Ｂが接続される通信ケーブル接続部５と、送受信部４６、電力線搬送通信モデム４７、通信インタフェース４８及び制御部４９から構成されるインターフェース部４とを備えている。
【００２５】
ネットワーク機器１００Ａ、１００Ｂから通信ケーブルを介して送信されたＬＡＮ信号は、通信ケーブル接続部５を介してインターフェース部４に入力され、インターフェース部４の通信インタフェース４８により受信される。そして、通信インタフェース４８により受信されたＬＡＮ信号は電力線搬送通信モデム４７でＰＬＣ信号へと変換され、送受信部４６からダクト装着型ＰＬＣプラグ６０Ａ、６０Ｂ内部の電線５７を介して、配線ダクト２０のスライドレール２３内部の導体２６へと送出される。逆に、スライドレール２３内部の導体２６を介して送信されたＰＬＣ信号は、ダクト装着型ＰＬＣプラグ６０Ａ、６０Ｂ内部の電線５７からインターフェース部４に入力され、インターフェース部４の送受信部４６により受信される。そして、送受信部４６により受信されたＰＬＣ信号は、電力線搬送通信モデム４７でＬＡＮ信号へと変換した後、通信インタフェース４８から通信ケーブル接続部５に接続された通信ケーブルを介して、ネットワーク機器１００Ａ、１００Ｂへと送信される。
【００２６】
以上のようなインターフェース部４の各構成要素における動作は、制御部４９によって制御されている。また、この制御部４９は、後述する親子設定の際の動作制御や、ダクト装着型ＰＬＣプラグ６０Ａ、６０Ｂが親機に設定されたか或いは子機に設定されたかを判別可能に表示するための表示部４５の制御なども行っている。また、インターフェース部４の各構成要素に対しては、ＡＣ／ＤＣコンバータからなる電源部４４を介して電力が供給されている。
【００２７】
なお、ダクト装着型ＰＬＣプラグ６０Ａ、６０Ｂ内部の電線５７とインターフェース部４とは、直流カットコンデンサ４２並びに絶縁トランス４３を介して接続されている。また、ダクト装着型ＰＬＣプラグ６０Ａ、６０Ｂ内部の電線５７は、ネットワーク機器１００Ａ、１００Ｂに対して電力を供給するためのコンセント部７にも繋がっている。
【００２８】
本実施形態の配線ダクトシステムでは、上述したように、配線ダクト２０のスライドレール２３に２つのダクト装着型ＰＬＣプラグ６０Ａ、６０Ｂを装着し、これらダクト装着型ＰＬＣプラグ６０Ａ、６０Ｂにネットワーク機器１００Ａ、１００Ｂをそれぞれ接続して、これらネットワーク機器１００Ａ、１００ＢでＰＬＣ通信を行えるようにしている。そのため、２つのダクト装着型ＰＬＣプラグ６０Ａ、６０Ｂの間で、何れか一方を親機、他方を子機とする親子設定を行うことが望まれる。
【００２９】
しかしながら、このダクト装着型ＰＬＣプラグ６０Ａ、６０Ｂ間の親子設定は、これまで、予め天井に設置された配線ダクト２０にダクト装着型ＰＬＣプラグ６０Ａ、６０Ｂを実際に装着させ、この状態で設定作業を行うようにしており、作業が煩雑であるとの問題があった。そこで、本実施形態では、図４及び図５に示すように、ダクト装着型ＰＬＣプラグ６０Ａ、６０Ｂに電池装着部９０を設け、この電池装着部９０に装着された電池９１から各ダクト装着型ＰＬＣプラグ６０Ａ、６０Ｂに電力が供給されている状態で、これらダクト装着型ＰＬＣプラグ６０Ａ及び６０Ｂを通信ケーブルを介して通信接続させ親子設定を行うことで、設定作業を簡便に行えるようにしている。
【００３０】
本実施形態のダクト装着型ＰＬＣプラグ６０Ａ、６０Ｂは、上述したように、配線ダクト２０の導体２６を介してネットワーク機器１００Ａ、１００ＢがＰＬＣ通信を行うための通信ケーブル接続部５とインターフェース部４とを備えており、ダクト装着型ＰＬＣプラグ６０Ａ、６０Ｂ間で親子設定を行う際にも、これら通信ケーブル接続部５及びインターフェース部４が利用される。具体的には、ダクト装着型ＰＬＣプラグ６０Ａ、６０Ｂのうち一方では、他方のダクト装着型ＰＬＣプラグから通信ケーブルを介して送信された情報信号（例えばＬＡＮ信号）が、通信ケーブル接続部５を介してインターフェース部４に入力され、インターフェース部４の通信インターフェース４８により受信される（通信手段）。この通信インターフェース４８は、通信ケーブルを介して接続されるダクト装着型ＰＬＣプラグ６０Ａ、６０Ｂ間でＬＡＮ信号の送受信を行うためのものであり、親子設定の動作制御を行っている制御部４９（親子設定処理手段）へと接続されている。そして、図５に示すように、ダクト装着型ＰＬＣプラグ６０Ａ、６０Ｂが配線ダクト２０へと電気的に接続されていない状態でも、電池装着部９０に装着された電池９１から親子設定を行う際に使用される表示部４５、通信インターフェース４８、制御部４９に対して電力が供給されるようになっている。
【００３１】
なお、通信インターフェース４８は、各ダクト装着型ＰＬＣプラグ６０Ａ、６０Ｂから送信される情報信号の規格に準拠した構成とすることが可能で、本実施形態では、通信ケーブルを利用したＬＡＮ通信により親子設定を行う場合を例に挙げて説明するが、例えば電波などの無線による方式で通信接続をさせてもよいものである。無線通信とすることで、通信ケーブルが不要となる利点がある。
【００３２】
ダクト装着型ＰＬＣプラグ６０Ａ、６０Ｂの間の親子設定は、以上のようにダクト装着型ＰＬＣプラグ６０Ａ、６０Ｂの電池装着部９０に装着された電池９１から各ダクト装着型ＰＬＣプラグ６０Ａ、６０Ｂそれぞれに電力が供給されている状態で、これらダクト装着型ＰＬＣプラグ６０Ａ、６０Ｂ同士が通信ケーブルを介して情報通信を行うことで実施される。
【００３３】
なお、本実施形態では、電池装着部９０は、一次電池又は二次電池を着脱自在に装着するものであるが、二次電池を充電可能に内蔵する構成をとってもよい。
【００３４】
ここで、ダクト装着型ＰＬＣプラグ６０Ａを親機、ダクト装着型ＰＬＣプラグ６０Ｂを子機に設定する場合を例に挙げて、これらダクト装着型ＰＬＣプラグ６０Ａ、６０Ｂの間の親子設定を行う手順について説明する。
【００３５】
ダクト装着型ＰＬＣプラグ６０Ａ、６０Ｂには、図４及び図５に示すように、インターフェース部４の制御部４９に対して親子設定の処理の開始を指示するための親子設定ボタン８０と、親機に設定するか子機に設定するかを識別するための親子設定スライドスイッチ８１とが設けられている。親子設定スライドスイッチ８１は、例えば図４（ｂ）に示すように、親機に設定したい場合には図中の左側にスライドさせ、子機に設定したい場合には図中の右側にスライドさせるように構成されている。また、親子設定ボタン８０は、作業者が操作可能なプッシュボタンなどにより構成されており、この親子設定ボタン８０が作業者により押圧操作されることで、インターフェース部４の制御部４９が親子設定の処理を開始する。
【００３６】
ダクト装着型ＰＬＣプラグ６０Ａを親機、ダクト装着型ＰＬＣプラグ６０Ｂを子機に設定する場合には、まず、ダクト装着型ＰＬＣプラグ６０Ａの親子設定スライドスイッチ８１が親側にスライド操作され、ダクト装着型ＰＬＣプラグ６０Ｂの親子設定スライドスイッチ８１が子側にスライド操作される。そして、この状態で、ダクト装着型ＰＬＣプラグ６０Ａの親子設定ボタン８０と、ダクト装着型ＰＬＣプラグ６０Ｂの親子設定ボタン８０とが同時に押圧操作される。これにより、ダクト装着型ＰＬＣプラグ６０Ａの制御部４９に対しては、親機として親子設定の処理を開始する旨の指示が入力されるとともに、ダクト装着型ＰＬＣプラグ６０Ｂの制御部４９に対しては、子機として親子設定の処理を開始する旨の指示が入力される。
【００３７】
ダクト装着型ＰＬＣプラグ６０Ｂの制御部４９は、子機としての親子設定の処理を開始する旨の指示が入力されると、予め内部メモリなどに記憶されている固有のアドレス（識別情報）を読み出して、このアドレスを通信ケーブルを介して、ダクト装着型ＰＬＣプラグ６０Ａに送信させる処理を行う。一方、ダクト装着型ＰＬＣプラグ６０Ａの制御部４９は、親機としての親子設定の処理を開始する旨の指示が入力されると、通信ケーブルを介してダクト装着型ＰＬＣプラグ６０Ｂから送信されたアドレスを受信して、受信したダクト装着型ＰＬＣプラグ６０Ｂのアドレスを、内部メモリなどに設けたテーブルに登録する処理を行う。これにより、ダクト装着型ＰＬＣプラグ６０Ａ、６０Ｂの間の親子設定は完了する。そして、親機に設定されたダクト装着型ＰＬＣプラグ６０Ａは、表示部４５により自身が親機に設定されたことを表示し、子機に設定されたダクト装着型ＰＬＣプラグ６０Ｂは、表示部４５により自身が子機に設定されたことを表示する。この表示部４５は、図４（ａ）に示すように、例えば発光色の異なる複数のＬＥＤ素子により構成され、親機に設定されたか或いは子機に設定されたかに応じて発光色を変えるように制御部４９により制御されている。
【００３８】
以上、具体的な例を挙げながら詳細に説明したように、本実施形態では、配線ダクト２０に装着されて使用されるダクト装着型ＰＬＣプラグ６０Ａ、６０Ｂ間で親子設定をする場合に、各ダクト装着型ＰＬＣプラグ６０Ａ、６０Ｂの電池装着部９０に装着された電池９１から各ダクト装着型ＰＬＣプラグ６０Ａ、６０Ｂそれぞれに電力が供給されている状態で、これらダクト装着型ＰＬＣプラグ６０Ａ、６０Ｂ同士が通信ケーブルを介して情報通信を行って親子設定のための処理を実行させるようにしている。したがって、既に天井に設置されている配線ダクト２０に脚立などを使用してダクト装着型ＰＬＣプラグ６０Ａ、６０Ｂを実際に装着して親子設定のための作業を行う必要が無く、作業し易い場所で各ダクト装着型ＰＬＣプラグ６０Ａ、６０Ｂの電池装着部９０に装着された電池９１からの電力と通信ケーブルとを利用してダクト装着型ＰＬＣプラグ６０Ａ、６０Ｂ間の親子設定の作業を行った後に、親子設定が完了したダクト装着型ＰＬＣプラグ６０Ａ、６０Ｂを天井に設置された配線ダクト２０に装着すればよいため、作業を簡便なものとして作業効率の向上を図ることができる。また、ダクト装着型ＰＬＣプラグ６０Ａ、６０Ｂに設けられた表示部４５により、各ダクト装着型ＰＬＣプラグ６０Ａ、６０Ｂが、親機に設定されたか或いは子機に設定されたかを容易に判別することが可能となる。
【図面の簡単な説明】
【００３９】
【図１】（ａ）は配線ダクトシステムの全体構成図を示し、（ｂ）はＰＬＣフィードインの回路図、（ｃ）はＰＬＣエンドの回路図を示している。
【図２】同上の配線ダクトシステムに用いられる配線ダクトのスライドレールの外観構成図を示している。
【図３】（ａ）は本発明の一実施形態にかかるダクト装着型ＰＬＣプラグ及び電力プラグの端子部近傍の断面図を示しており、（ｂ）は配線ダクトに装着させた状態を示している。
【図４】（ａ）は同上のダクト装着型ＰＬＣプラグを下方より見た斜視図を示し、（ｂ）はダクト装着型ＰＬＣプラグの親子設定スライドスイッチの拡大図を示している。
【図５】同上のダクト装着型ＰＬＣプラグの回路図を示している。
【符号の説明】
【００４０】
４  インターフェース部（通信手段）
５  通信ケーブル接続部（通信手段）
２０  配線ダクト
４５  表示部
４９  制御部（親子設定処理手段）
６０Ａ、６０Ｂ  ダクト装着型ＰＬＣプラグ
７０  電力線
８０  親子設定ボタン
８１  親子設定スライドスイッチ
９０  電池装着部
９１  電池
【図１】
0005113480.tif 000002
【図２】
0005113480.tif 000003
【図３】
0005113480.tif 000004
【図４】
0005113480.tif 000005
【図５】
0005113480.tif 000006